(57)【特許請求の範囲】
【請求項１】
無線端末であって、
接続禁止メッセージをリレーノードから受信する受信部を備え、
前記接続禁止メッセージは、前記無線端末の接続が禁止されるセルであって、かつ前記リレーノードの接続が予定されるセルである予定セルに関するセル情報を含み、
前記セル情報は、前記無線端末の接続が禁止される期間の情報を含む無線端末。
【請求項２】
前記セル情報は、前記予定セルの識別子又は前記予定セルが運用される周波数の情報の少なくとも一方を含む請求項１に記載の無線端末。
【請求項３】
前記リレーノードへ接続要求を送信する送信部をさらに備え、
前記受信部は、前記接続要求を送信した後に、前記リレーノードからユニキャストで送信された前記接続禁止メッセージを受信する請求項１に記載の無線端末。
【請求項４】
前記予定セルから無線信号の受信レベルに関する測定結果を含む測定報告の送信を中止する制御部をさらに備える請求項１に記載の無線端末。
【請求項５】
リレーノードであって、
接続禁止メッセージを無線端末へ送信する送信部を備え、
前記接続禁止メッセージは、前記無線端末の接続が禁止されるセルであって、かつ前記リレーノードの接続が予定されるセルである予定セルに関するセル情報を含み、
前記セル情報は、前記無線端末の接続が禁止される期間の情報を含むリレーノード。
【請求項６】
前記セル情報は、前記予定セルの識別子又は前記予定セルが運用される周波数の情報の少なくとも一方を含む請求項５に記載のリレーノード。
【請求項７】
前記無線端末から接続要求を受信する受信部をさらに備え、
前記送信部は、前記接続要求を受信した後に、前記接続禁止メッセージをユニキャストで前記無線端末へ送信する請求項５に記載のリレーノード。
【請求項８】
前記予定セルから無線信号の受信レベルに関する測定結果を含む測定報告を前記無線端末から受信する受信部と、
前記予定セルへのハンドオーバ要求の送信を中止する制御部と、をさらに備える請求項５に記載のリレーノード。
【発明の詳細な説明】
【技術分野】
【０００１】
本開示は、無線端末及びリレーノードに関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、リレーノード（ＲＮ）が仕様化されている（非特許文献１参照）。【０００３】
基地局の機能性を有するリレーノードは、基地局に代わって無線端末へサービスを提供できる。現状、リレーノードは、基地局のカバレッジを補うために主に利用されている。
【先行技術文献】
【非特許文献】
【０００４】
【非特許文献１】３ＧＰＰ技術仕様書「ＴＳ３６．３００  Ｖ１３．２．０」  ２０１６年１月１３日
【発明の概要】
【０００５】
一の実施形態に係る無線端末は、接続するセルを制限するための接続禁止メッセージをリレーノードから所定の周波数において受信する受信部を備える。前記接続禁止メッセージは、前記所定の周波数において接続要求を送信することを禁止するためのメッセージである。
【０００６】
一の実施形態に係るリレーノードは、接続するセルを制限するための接続禁止メッセージを無線端末へ所定の周波数において送信する送信部を備える。前記接続禁止メッセージは、前記所定の周波数において接続要求を送信することを禁止するためのメッセージである。
【０００７】
実施形態に係るリレーノードは、前記リレーノードが設置された移動体に収容された無線端末の情報を取得する制御部と、前記リレーノードの接続が予定されるセルに前記無線端末が接続することを禁止するために前記無線端末の情報を基地局へ送信する送信部と、を備える。
【０００８】
一の実施形態に係る無線端末は、接続禁止メッセージをリレーノードから受信する受信部を備える。前記接続禁止メッセージは、前記無線端末の接続が禁止されるセルであって、かつ前記リレーノードの接続が予定されるセルである予定セルに関するセル情報を含む。
【０００９】
一の実施形態に係るリレーノードは、接続禁止メッセージを無線端末へ送信する送信部を備える。前記接続禁止メッセージは、前記無線端末の接続が禁止されるセルであって、かつ前記リレーノードの接続が予定されるセルである予定セルに関するセル情報を含む。
【図面の簡単な説明】
【００１０】
【図１】図１は、ＬＴＥシステムの構成を示す図である。
【図２】図２は、ＬＴＥシステムにおける無線インターフェイスのプロトコルスタック図である。
【図３】図３は、ＬＴＥシステムにおける無線インターフェイスのプロトコルスタック図である。
【図４】図４は、ＬＴＥシステムで使用される無線フレームの構成図である。
【図５】図５は、ＵＥ１００のブロック図である。
【図６】図６は、ｅＮＢ２００のブロック図である。
【図７】図７は、ＲＮ５００のブロック図である。
【図８】図８は、第１実施形態に係る動作環境を説明するための図である。
【図９】図９は、第１実施形態に係る動作を説明するためのシーケンス図である。
【図１０】図１０は、第１実施形態の変更例１を説明するための図である。
【図１１】図１１は、第１実施形態の変更例２を説明するための図である。
【図１２】図１２は、第１実施形態の変更例３を説明するための図である。
【図１３】図１３は、第２実施形態を説明するための図である。
【図１４】図１４は、その他の実施形態を説明するための図である。
【発明を実施するための形態】
【００１１】
［実施形態の概要］
近年、複数の無線端末が収容される移動体（例えば、電車）にリレーノードを設置することが提案されている。移動体の走行中に、リレーノードが複数の無線端末を代表して基地局との通信を実行することにより、リソースの使用効率が向上する。
【００１２】
しかしながら、リレーノードと複数の無線端末とは、一緒に移動するため、リレーノードが接続する基地局へ、移動体に収容される複数の無線端末も接続する虞がある。
【００１３】
実施形態に係る無線端末は、接続するセルを制限するための接続禁止メッセージをリレーノードから所定の周波数において受信する受信部を備えてもよい。前記接続禁止メッセージは、前記所定の周波数において接続要求を送信することを禁止するためのメッセージであってもよい。
【００１４】
前記所定の周波数は、前記リレーノードの接続が予定されるセル又は前記リレーノードが接続しているセルが運用される周波数であってもよい。
【００１５】
実施形態に係るリレーノードは、接続するセルを制限するための接続禁止メッセージを無線端末へ所定の周波数において送信する送信部を備えてもよい。前記接続禁止メッセージは、前記所定の周波数において接続要求を送信することを禁止するためのメッセージであってもよい。
【００１６】
前記所定の周波数は、前記リレーノードの接続が予定されるセル又は前記リレーノードが接続しているセルが運用される周波数であってもよい。
【００１７】
実施形態に係るリレーノードは、前記リレーノードが設置された移動体に収容された無線端末の情報を取得する制御部と、前記リレーノードの接続が予定されるセルに前記無線端末が接続することを禁止するために前記無線端末の情報を基地局へ送信する送信部と、を備えてもよい。
【００１８】
実施形態に係る無線端末は、接続禁止メッセージをリレーノードから受信する受信部を備えてもよい。前記接続禁止メッセージは、前記無線端末の接続が禁止されるセルであって、かつ前記リレーノードの接続が予定されるセルである予定セルに関するセル情報を含んでもよい。
【００１９】
前記セル情報は、前記予定セルの識別子又は前記予定セルが運用される周波数の情報の少なくとも一方を含んでもよい。
【００２０】
前記セル情報は、前記無線端末の接続が禁止される期間の情報を含んでもよい。
【００２１】
前記無線端末は、前記リレーノードへ接続要求を送信する送信部をさらに備えてもよい。前記受信部は、前記接続要求を送信した後に、前記リレーノードからユニキャストで送信された前記接続禁止メッセージを受信してもよい。
【００２２】
無線端末は、前記予定セルから無線信号の受信レベルに関する測定結果を含む測定報告の送信を中止する制御部をさらに備えてもよい。
【００２３】
実施形態に係るリレーノードは、接続禁止メッセージを無線端末へ送信する送信部を備えてもよい。前記接続禁止メッセージは、前記無線端末の接続が禁止されるセルであって、かつ前記リレーノードの接続が予定されるセルである予定セルに関するセル情報を含んでもよい。
【００２４】
前記セル情報は、前記予定セルの識別子又は前記予定セルが運用される周波数の情報の少なくとも一方を含んでもよい。
【００２５】
前記セル情報は、前記無線端末の接続が禁止される期間の情報を含んでもよい。
【００２６】
前記リレーノードは、前記無線端末から接続要求を受信する受信部をさらに備えてもよい。前記送信部は、前記接続要求を受信した後に、前記接続禁止メッセージをユニキャストで前記無線端末へ送信してもよい。
【００２７】
前記リレーノードは、前記予定セルから無線信号の受信レベルに関する測定結果を含む測定報告を前記無線端末から受信する受信部と、前記予定セルへのハンドオーバ要求の送信を中止する制御部とを備えてもよい。
【００２８】
［システム概略］
（移動通信システム）
以下において、実施形態に係る移動通信システムであるＬＴＥシステムについて説明する。図１は、ＬＴＥシステムの構成を示す図である。
【００２９】
図１に示すように、ＬＴＥシステムは、ＵＥ（Ｕｓｅｒ  Ｅｑｕｉｐｍｅｎｔ）１００、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）１０、及びＥＰＣ（Ｅｖｏｌｖｅｄ  Ｐａｃｋｅｔ  Ｃｏｒｅ）２０を備える。
【００３０】
ＵＥ１００は、無線端末に相当する。ＵＥ１００は、移動型の通信装置である。ＵＥ１００は、セル（後述するｅＮＢ２００又はＲＮ５００）と無線通信を行うことができる。
【００３１】
Ｅ−ＵＴＲＡＮ１０は、無線アクセスネットワークに相当する。Ｅ−ＵＴＲＡＮ１０は、ｅＮＢ（ｅｖｏｌｖｅｄ  Ｎｏｄｅ−Ｂ）２００、及びＲＮ（Ｒｅｌａｙ  Ｎｏｄｅ）５００を含む。
【００３２】
ｅＮＢ２００は、基地局に相当する。ｅＮＢ２００は、Ｘ２インターフェイスを介して相互に接続される。
【００３３】
ｅＮＢ２００は、１又は複数のセルを管理する。ｅＮＢ２００は、ｅＮＢ２００が管理するセルとの接続を確立したＵＥ１００との無線通信を行う。ｅＮＢ２００は、無線リソース管理（ＲＲＭ）機能、ユーザデータ（以下、「データ」と称することがある）のルーティング機能、モビリティ制御・スケジューリングのための測定制御機能等を有する。「セル」は、無線通信エリアの最小単位を示す用語として使用される。「セル」は、ＵＥ１００との無線通信を行う機能を示す用語としても使用されてもよい。
【００３４】
ＲＮ５００は、中継装置に相当する。ＲＮ５００は、ＵＥ１００とｅＮＢ２００との間でＵＥ１００のデータを中継できる。ＲＮ５００は、Ｕｎインターフェイスを介してｅＮＢ２００とワイヤレスで接続する。中継のためにＲＮ５００と接続するｅＮＢ２００は、ＲＮ５００をサーブ（ｓｅｒｖｅ）する機能を有する。このようなｅＮＢ２００は、ＤｅＮＢ（Ｄｏｎｏｒ  ｅＮＢ）と称される。
【００３５】
ＲＮ５００は、リレーノード（中継装置）に相当する。ＲＮ５００は、ｅＮＢ２００に代わってＵＥ１００と通信できる。ＲＮ５００は、ｅＮＢ２００の機能性をサポートする。従って、ＲＮ５００は、Ｓ１及びＸ２インターフェイス、Ｅ−ＵＴＲＡ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）無線インターフェイスの無線プロトコルを終端してもよい。
【００３６】
ＲＮ５００とＭＭＥ３００／ＳＧＷ４００との間で、（Ｄ）ｅＮＢ２００を経由するＳ１インターフェイスが確立されてもよい。すなわち、ＲＮ５００は、Ｓ１インターフェイスを介してＭＭＥ３００／ＳＧＷ４００と接続されてもよい。ＲＮ５００は、Ｓ１インターフェイスを介してＭＭＥ３００／ＳＧＷ４００と通信してもよい。ＲＮ５００とｅＮＢ２００との間で、（Ｄ）ｅＮＢ２００を経由するＸ２インターフェイスが確立されてもよい。すなわち、ＲＮ５００は、Ｘ２インターフェイスを介してｅＮＢ２００と接続されてもよい。ＲＮ５００は、Ｘ２インターフェイスを介してｅＮＢ２００と通信してもよい。
【００３７】
ＲＮ５００は、ＵＥ１００の機能性の一部（サブセット）もサポートする。ＲＮ５００は、例えば、ｅＮＢ２００とワイヤレスで接続するために、後述する無線インターフェイスのプロトコルを備える（図３参照）。
【００３８】
ＥＰＣ２０は、コアネットワークに相当する。ＥＰＣ２０は、Ｅ−ＵＴＲＡＮ１０と共にネットワークを構成してもよい。ＥＰＣ２０は、ＭＭＥ（Ｍｏｂｉｌｉｔｙ  Ｍａｎａｇｅｍｅｎｔ  Ｅｎｔｉｔｙ）３００、及びＳＧＷ（Ｓｅｒｖｉｎｇ  Ｇａｔｅｗａｙ）４００を含む。
【００３９】
ＭＭＥ３００は、例えば、ＵＥ１００に対する各種モビリティ制御を行う。ＳＧＷ４００は、例えば、データの転送制御を行う。ＭＭＥ３００及びＳＧＷ４００は、Ｓ１インターフェイスを介してｅＮＢ２００と接続される。ＭＭＥ３００及びＳＧＷ４００は、Ｓ１インターフェイスを介してＲＮ５００と接続されてもよい。
【００４０】
図２及び図３は、ＬＴＥシステムにおける無線インターフェイスのプロトコルスタック図である。図２は、ＵＥ１００とｅＮＢ２００との間の無線インターフェイスのプロトコルスタック図を示す。図３は、ＲＮ５００とｅＮＢ２００との間の無線インターフェイスのプロトコルスタック図を示す。
【００４１】
図２及び図３に示すように、無線インターフェイスプロトコルは、ＯＳＩ参照モデルの第１層乃至第３層に区分される。第１層は、物理（ＰＨＹ）層である。第２層は、ＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００４２】
物理層は、符号化・復号化、変調・復調、アンテナマッピング・デマッピング、及びリソースマッピング・デマッピングを行う。ＵＥ１００（ＲＮ５００）の物理層とｅＮＢ２００の物理層との間では、物理チャネルを介してデータ及び制御信号が伝送される。
【００４３】
ＭＡＣ層は、データの優先制御、ハイブリッドＡＲＱ（ＨＡＲＱ）による再送処理、及びランダムアクセス手順等を行う。ＵＥ１００（ＲＮ５００）のＭＡＣ層とｅＮＢ２００のＭＡＣ層との間では、トランスポートチャネルを介してデータ及び制御信号が伝送される。ｅＮＢ２００のＭＡＣ層は、スケジューラ（ＭＡＣスケジューラ）を含む。スケジューラは、上下リンクのトランスポートフォーマット（トランスポートブロックサイズ、変調・符号化方式（ＭＣＳ））及びＵＥ１００への割当リソースブロックを決定する。
【００４４】
ＲＬＣ層は、ＭＡＣ層及び物理層の機能を利用してデータを受信側のＲＬＣ層に伝送する。ＵＥ１００（ＲＮ５００）のＲＬＣ層とｅＮＢ２００のＲＬＣ層との間では、論理チャネルを介してデータ及び制御信号が伝送される。
【００４５】
ＰＤＣＰ層は、ヘッダ圧縮・伸張、及び暗号化・復号化を行う。
【００４６】
ＲＲＣ層は、制御信号を取り扱う制御プレーンでのみ定義される。ＵＥ１００（ＲＮ５００）のＲＲＣ層とｅＮＢ２００のＲＲＣ層との間では、各種設定のためのメッセージ（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００（ＲＮ５００）のＲＲＣとｅＮＢ２００のＲＲＣとの間にＲＲＣ接続がある場合、ＵＥ１００（ＲＮ５００）は、ＲＲＣコネクティッド状態である。ＵＥ１００（ＲＮ５００）のＲＲＣとｅＮＢ２００のＲＲＣとの間にＲＲＣ接続がない場合、ＵＥ１００（ＲＮ５００）は、ＲＲＣアイドル状態である。
【００４７】
ＲＲＣ層の上位に位置するＮＡＳ（Ｎｏｎ−Ａｃｃｅｓｓ  Ｓｔｒａｔｕｍ）層は、例えば、セッション管理及びモビリティ管理を行う。
【００４８】
図４は、ＬＴＥシステムで使用される無線フレームの構成図である。ＬＴＥシステムにおいて、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）が適用される。上りリンクにはＳＣＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）が適用される。
【００４９】
図４に示すように、無線フレームは、時間方向に並ぶ１０個のサブフレームで構成される。各サブフレームは、時間方向に並ぶ２個のスロットで構成される。各サブフレームの長さは１ｍｓである。各スロットの長さは０．５ｍｓである。各サブフレームは、周波数方向に複数のリソースブロック（ＲＢ：Ｒｅｓｏｕｒｃｅ  Ｂｌｏｃｋ）を含む。各サブフレームは、時間方向に複数のシンボルを含む。各リソースブロックは、周波数方向に複数のサブキャリアを含む。１つのシンボル及び１つのサブキャリアにより、１つのリソースエレメント（ＲＥ：Ｒｅｓｏｕｒｃｅ  Ｅｌｅｍｅｎｔ）が構成される。ＵＥ１００には、無線リソース（時間・周波数リソース）が割り当てられる。周波数方向において、無線リソース（周波数リソース）は、リソースブロックにより構成される。時間方向において、無線リソース（時間リソース）は、サブフレーム（又はスロット）により構成される。
【００５０】
下りリンクにおいて、各サブフレームの先頭数シンボルの区間は、下りリンク制御信号を伝送するための物理下りリンク制御チャネル（ＰＤＣＣＨ：Ｐｈｙｓｉｃａｌ  Ｄｏｗｎｌｉｎｋ．  Ｃｏｎｔｒｏｌ  Ｃｈａｎｎｅｌ）として使用可能な領域である。各サブフレームの残りの部分は、下りリンクデータを伝送するための物理下りリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）として使用可能な領域である。
【００５１】
上りリンクにおいて、各サブフレームにおける周波数方向の両端部は、上りリンク制御信号を伝送するための物理上りリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）として使用可能な領域である。各サブフレームにおける残りの部分は、上りリンクデータを伝送するための物理上りリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）として使用可能な領域である。
【００５２】
（無線端末）
ＵＥ１００（無線端末）について説明する。図５は、ＵＥ１００のブロック図である。図５に示すように、ＵＥ１００は、レシーバ（Ｒｅｃｅｉｖｅｒ：受信部）１１０、トランスミッタ（Ｔｒａｎｓｍｉｔｔｅｒ：送信部）１２０、及びコントローラ（Ｃｏｎｔｒｏｌｌｅｒ：制御部）１３０を備える。レシーバ１１０とトランスミッタ１２０とは、一体化されたトランシーバ（送受信部）であってもよい。
【００５３】
レシーバ１１０は、コントローラ１３０の制御下で各種の受信を行う。レシーバ１１０は、アンテナを含む。レシーバ１１０は、アンテナが受信する無線信号をベースバンド信号（受信信号）に変換する。レシーバ１１０は、ベースバンド信号をコントローラ１３０に出力する。
【００５４】
トランスミッタ１２０は、コントローラ１３０の制御下で各種の送信を行う。トランスミッタ１２０は、アンテナを含む。トランスミッタ１２０は、コントローラ１３０が出力するベースバンド信号（送信信号）を無線信号に変換する。トランスミッタ１３０は、無線信号をアンテナから送信する。
【００５５】
コントローラ１３０は、ＵＥ１００における各種の制御を行う。コントローラ１３０は、プロセッサ及びメモリを含む。メモリは、プロセッサにより実行されるプログラム、及びプロセッサによる処理に使用される情報を記憶する。プロセッサは、ベースバンドプロセッサとＣＰＵ（Ｃｅｎｔｒａｌ  Ｐｒｏｃｅｓｓｉｎｇ  Ｕｎｉｔ）とを含む。ベースバンドプロセッサは、例えば、ベースバンド信号の変調・復調及び符号化・復号化を行う。ＣＰＵは、メモリに記憶されるプログラムを実行することにより、各種の処理を行う。プロセッサは、音声・映像信号の符号化・復号化を行うコーデックを含んでもよい。プロセッサは、後述する各種の処理及び上述した各種の通信プロトコルを実行する。
【００５６】
ＵＥ１００は、ＵＥ１００自身の位置を特定するための受信機を備えていてもよい。例えば、ＵＥ１００は、ＧＮＳＳ（Ｇｌｏｂａｌ  Ｎａｖｉｇａｔｉｏｎ  Ｓａｔｅｌｌｉｔｅ  Ｓｙｓｔｅｍ）受信機を備えていてもよい。ＧＮＳＳ受信機は、ＵＥ１００の地理的な位置を示す位置情報を得るために、ＧＮＳＳ信号を受信できる。ＧＮＳＳ受信機は、ＧＮＳＳ信号をコントローラ１３０に出力する。ＵＥ１００は、ＵＥ１００の位置情報を取得するためのＧＰＳ（Ｇｌｏｂａｌ  Ｐｏｓｉｔｉｏｎｉｎｇ  Ｓｙｓｔｅｍ）機能を有していてもよい。ＵＥ１００は、位置情報を取得するために他の受信機を備えていてもよい。
【００５７】
本明細書では、ＵＥ１００が備えるレシーバ１１０、トランスミッタ１２０及びコントローラ１３０の少なくともいずれかが実行する処理を、便宜上、ＵＥ１００が実行する処理（動作）として説明することがある。
【００５８】
（基地局）
ｅＮＢ２００（基地局）について説明する。図６は、ｅＮＢ２００のブロック図である。図６に示すように、ｅＮＢ２００は、レシーバ（受信部）２１０、トランスミッタ（送信部）２２０、コントローラ（制御部）２３０、及びネットワークインターフェイス２４０を備える。トランスミッタ２１０とレシーバ２２０は、一体化されたトランシーバ（送受信部）であってもよい。
【００５９】
レシーバ２１０は、コントローラ２３０の制御下で各種の受信を行う。レシーバ２１０は、アンテナを含む。レシーバ２１０は、アンテナが受信する無線信号をベースバンド信号（受信信号）に変換する。レシーバ２１０は、ベースバンド信号をコントローラ２３０に出力する。
【００６０】
トランスミッタ２２０は、コントローラ２３０の制御下で各種の送信を行う。トランスミッタ２２０は、アンテナを含む。トランスミッタ２２０は、コントローラ２３０が出力するベースバンド信号（送信信号）を無線信号に変換する。トランスミッタ２２０は、無線信号をアンテナから送信する。
【００６１】
コントローラ２３０は、ｅＮＢ２００における各種の制御を行う。コントローラ２３０は、プロセッサ及びメモリを含む。メモリは、プロセッサにより実行されるプログラム、及びプロセッサによる処理に使用される情報を記憶する。プロセッサは、ベースバンドプロセッサとＣＰＵとを含む。ベースバンドプロセッサは、例えば、ベースバンド信号の変調・復調及び符号化・復号化等を行う。ＣＰＵは、メモリに記憶されるプログラムを実行することにより各種の処理を行う。プロセッサは、後述する各種の処理及び上述した各種の通信プロトコルを実行する。
【００６２】
ネットワークインターフェイス２４０は、Ｘ２インターフェイスを介して隣接ｅＮＢ２００と接続される。ネットワークインターフェイス２４０は、Ｓ１インターフェイスを介してＭＭＥ３００及びＳＧＷ４００と接続される。ネットワークインターフェイス２４０は、例えば、Ｘ２インターフェイス上で行う通信及びＳ１インターフェイス上で行う通信に使用される。
【００６３】
本明細書では、ｅＮＢ２００が備えるトランスミッタ２１０、レシーバ２２０、コントローラ２３０、及びネットワークインターフェイス２４０の少なくともいずれかが実行する処理を、便宜上、ｅＮＢ２００が実行する処理（動作）として説明する。
【００６４】
（リレーノード）
ＲＮ５００（リレーノード）について説明する。図７は、ＲＮ５００のブロック図である。図７に示すように、ＲＮ５００は、レシーバ（受信部）５１０、トランスミッタ（送信部）５２０、コントローラ（制御部）５３０、及びネットワークインターフェイス５４０を備える。トランスミッタ５１０とレシーバ５２０は、一体化されたトランシーバ（送受信部）であってもよい。ＲＮ５００は、ネットワークインターフェイス５４０を備えなくてもよい。
【００６５】
レシーバ５１０は、コントローラ５３０の制御下で各種の受信を行う。レシーバ５１０は、アンテナを含む。レシーバ５１０は、アンテナが受信する無線信号をベースバンド信号（受信信号）に変換する。レシーバ５１０は、ベースバンド信号をコントローラ５３０に出力する。
【００６６】
トランスミッタ５２０は、コントローラ５３０の制御下で各種の送信を行う。トランスミッタ５２０は、アンテナを含む。トランスミッタ５２０は、コントローラ５３０が出力するベースバンド信号（送信信号）を無線信号に変換する。トランスミッタ５２０は、無線信号をアンテナから送信する。
【００６７】
コントローラ５３０は、ＲＮ５００における各種の制御を行う。コントローラ５３０は、プロセッサ及びメモリを含む。メモリは、プロセッサにより実行されるプログラム、及びプロセッサによる処理に使用される情報を記憶する。プロセッサは、ベースバンドプロセッサとＣＰＵとを含む。ベースバンドプロセッサは、例えば、ベースバンド信号の変調・復調及び符号化・復号化等を行う。ＣＰＵは、メモリに記憶されるプログラムを実行することにより各種の処理を行う。プロセッサは、後述する各種の処理及び上述した各種の通信プロトコルを実行する。
【００６８】
ネットワークインターフェイス５４０は、移動体に設けられた他のノード（例えば、他のＲＮ５００）と接続される。ＲＮ５００は、レシーバ５１０及び／又はトランスミッタ５２０を用いて他のノードと通信を実行してもよい。例えば、ＲＮ５００は、ネットワークインターフェイス５４０を備えない場合に、レシーバ５１０及び／又はトランスミッタ５２０を用いて他のノードと通信を実行してもよい。
【００６９】
本明細書では、ＲＮ５００が備えるトランスミッタ５１０、レシーバ５２０、コントローラ５３０、及びネットワークインターフェイス５４０の少なくともいずれかが実行する処理を、便宜上、ＲＮ５００が実行する処理（動作）として説明する。
【００７０】
［第１実施形態］
（動作環境）
第１実施形態に係る動作環境について図８を用いて説明する。図８は、第１実施形態に係る動作環境を説明するための図である。
【００７１】
図８に示すように、移動体（例えば、電車）１は、各ＵＥ１００を収容している。移動体１には、ＲＮ５００が設置されている。各ＵＥ１００とＲＮ５００とは、接続（ＲＲＣ接続）を確立していてもよい。各ＵＥ１００は、ＲＮ５００に対してＲＲＣ接続状態であってもよい。各ＵＥ１００とＲＮ５００とは、接続（ＲＲＣ接続）を確立していなくてもよい。各ＵＥ１００は、ＲＮ５００に対してＲＲＣアイドル状態であってもよい。各ＵＥ１００は、必要に応じて、ＲＮ５００と接続（ＲＲＣ接続）を確立してもよい。
【００７２】
ＲＮ５００は、ｅＮＢ２００（例えば、マクロｅＮＢ）と接続（ＲＲＣ接続）を確立する。ＲＮ５００は、例えば、４ＧＨｚ帯の周波数を用いてｅＮＢ２００との通信を実行してもよい。一方で、ＲＮ５００は、例えば、４ＧＨｚ帯、３０ＧＨｚ帯、７０ＧＨｚ帯の少なくともいずれかの周波数を用いてＵＥ１００との通信を実行してもよい。
【００７３】
ｅＮＢ２００は、例えば、移動体１が通過する軌道（例えば、線路）の周辺に設置されたｅＮＢである。
【００７４】
移動体１は、高速で移動してもよい。例えば、移動体１は、閾値以上の速度（例えば、５００ｋｍ／ｈ）で移動してもよい。従って、各ＵＥ１００及びＲＮ５００は、移動体１の移動に応じて、高速で（閾値以上の速度で）移動できる。
【００７５】
（第１実施形態に係る動作）
次に、第１実施形態に係る動作について、図９を用いて説明する。図９は、第１実施形態に係る動作を説明するためのシーケンス図である。
【００７６】
図９に示すように、ステップＳ１０１において、ＲＮ５００は、セル情報要求（Ｃｅｌｌ  ｉｎｆｏｒｍａｔｉｏｎ  ｒｅｑｕｅｓｔ）をｅＮＢ２００へ送信してもよい。
【００７７】
ＲＮ５００は、移動体１が移動を開始する前に、セル情報要求をｅＮＢ２００へ送信してもよい。ＲＮ５００は、移動体１が移動を開始した後に、セル情報要求をｅＮＢ２００へ送信してもよい。
【００７８】
セル情報要求は、予定セルに関するセル情報を要求するための情報である。セル情報要求は、ＲＮ５００の識別子、移動体１の識別子、移動体１（ＲＮ５００）の移動情報の少なくともいずれかの情報を含んでいてもよい。
【００７９】
移動情報は、移動体１（ＲＮ５００）の移動区間（例えば、出発地点、経由地点、到着地点など）を示す情報、移動体１（ＲＮ５００）の移動時間を示す情報、移動体１（ＲＮ５００）の移動距離を示す情報の少なくともいずれかの情報を含んでいてもよい。
【００８０】
ステップＳ１０２において、ｅＮＢ２００は、セル情報要求への応答をＲＮ５００へ送信してもよい。
【００８１】
ｅＮＢ２００は、セル情報要求の受信に応じて、応答を送信してもよい。ｅＮＢ２００は、予め保持しているセル情報を応答に含めてもよい。ｅＮＢ２００は、セル情報要求の受信に応じて、セル情報を生成してもよい。
【００８２】
ｅＮＢ２００は、ネットワーク装置へセル情報を問い合わせてもよい。ｅＮＢ２００は、問合せメッセージにセル情報要求に含まれる情報を含めてもよい。ネットワーク装置は、ＥＰＣ２０内に設けられていてもよい。ネットワーク装置は、外部ネットワークに設けられていてもよい。ネットワーク装置は、ｅＮＢ２００からの問合せメッセージの受信に応じて、セル情報（第１セル情報）を含む応答メッセージをｅＮＢ２００へ送信してもよい。
【００８３】
ＲＮ５００は、ｅＮＢ２００からセル情報（第１セル情報）を受信する。セル情報は、予定セルに関する情報を含む。予定セルは、ＲＮ５００の接続が予定されるセルである。具体的には、予定セルは、移動体１の移動経路（例えば、線路）に沿って設置されたｅＮＢ２００（予定ｅＮＢ２００）が管理するセルである。
【００８４】
セル情報は、例えば、予定セルの識別子（のリスト）又は予定セルが運用される周波数の情報の少なくとも一方を含んでもよい。
【００８５】
予定セルの識別子は、セル識別子（ＣＩ）であってもよい。予定セルの識別子は、ＥＣＧＩ（Ｅ−ＵＴＲＡＮ  Ｃｅｌｌ  Ｇｌｏｂａｌ  Ｉｄｅｎｔｉｆｉｅｒ）であってもよい。予定セルの識別子は、ＲＮ５００が当該予定セルへ接続する予定時間と関連付けられていてもよい。
【００８６】
予定セルが運用される周波数の情報は、予定ｅＮＢ２００が管理するセルが運用される周波数の情報であってもよい。予定セルが運用される周波数の情報は、実際に接続される予定のセルが運用される周波数の情報であってもよい。
【００８７】
予定セルの識別子と周波数の情報とが関連付けられていてもよい。
【００８８】
セル情報は、予定セルを管理するｅＮＢ２００の識別子を含んでいてもよい。ｅＮＢ２００の識別子は、ＰＬＭＮ内のｅＮＢ２００を識別するために用いられるｅＮＢ識別子（ｅＮＢ  ＩＤ）であってもよい。ｅＮＢ２００の識別子は、グローバルにｅＮＢ２００を識別するために用いられるグローバルｅＮＢ識別子（Ｇｌｏｂａｌ  ｅＮＢ  ＩＤ）であってもよい。
【００８９】
セル情報は、当該セル情報（又は後述する接続禁止メッセージ）が有効な期間の情報を含んでいてもよい。有効な期間の情報は、当該セル情報が有効な期間を計測するためのタイマの情報であってもよい。有効な期間の情報は、有効な期間の終了時間を示す情報であってもよい。
【００９０】
有効期間は、例えば、移動体１の移動期間に対応していてもよい。有効期間は、各予定セルの接続予定時間に対応していてもよい。
【００９１】
セル情報は、ＲＮ５００が移動速度と比較する第１閾値を含んでいてもよい。ＲＮ５００は、ＲＮ５００（移動体１）の移動速度が第１閾値を超えた場合に、後述する接続禁止メッセージを送信してもよい。第１閾値は、高速（例えば、３００ｋｍ／ｈ）を示す値であってもよい。
【００９２】
セル情報は、ＵＥ１００が移動速度と比較する第２閾値を含んでいてもよい。ＵＥ１００は、ＵＥ１００（移動体１）の移動速度が第２閾値を超えた場合に、セル情報が有効であると判定してもよい。第２閾値は、高速（例えば、３００ｋｍ／ｈ）を示す値であってもよい。第２閾値は、第１閾値と同じ値であってもよいし、第１閾値よりも大きい値であってもよい。
【００９３】
ＲＮ５００は、セル情報に基づいて、予定セルを把握できる。
【００９４】
ステップＳ１０３において、ＲＮ５００は、接続禁止メッセージ（Ｃｏｎｎｅｃｔｉｏｎ  ｆｏｒｂｉｄｄａｎｃｅ  ｍｅｓｓａｇｅ）を送信してもよい。ＲＮ５００は、接続禁止メッセージをユニキャスト（例えば、ＲＲＣ接続再設定メッセージ）により送信してもよい。ＲＮ５００は、接続禁止メッセージをブロードキャスト（ＳＩＢ：ＳｙｓｔｅｍＩｎｆｏｒｍａｔｉｏｎＢｌｏｃｋ）により送信してもよい。
【００９５】
本実施形態において、接続禁止メッセージは、上述のセル情報を含む。接続禁止メッセージに含まれるセル情報（第２セル情報）は、ｅＮＢ２００からＲＮ５００が受信したセル情報と同じであってもよい。第２セル情報は、ｅＮＢ２００からＲＮ５００が受信したセル情報（第１セル情報）の一部（サブセット）であってもよい。
【００９６】
接続禁止メッセージに含まれるセル情報は、予定セルに関する情報である。ここで、予定セルは、ＲＮ５００の接続が予定されるセルであると共に、ＵＥ１００の接続が禁止されるセルである。
【００９７】
ＵＥ１００は、セル情報に基づいて、接続要求を送信するセルを選択する。具体的には、ＵＥ１００は、セル情報に含まれるセル識別子が示すセル（予定セル）へ接続要求を送信することを中止（省略）してもよい。ＵＥ１００は、セル情報に含まれる周波数において接続要求を送信することを中止（省略）してもよい。
【００９８】
ＵＥ１００は、接続禁止メッセージ（セル情報）の送信元であるセル（ＲＮ５００）へ接続要求を送信してもよい。ＵＥ１００は、セル情報に含まれるセル識別子によって示されないセルへ接続要求を送信してもよい。すなわち、ＵＥ１００は、予定セルと異なるセルに対して、接続要求を送信してもよい。当該ＵＥ１００が使用する無線リソースとＲＮ５００が使用する無線リソースとが競合しないためである。
【００９９】
ＵＥ１００は、セル情報（又は接続禁止メッセージ）が有効である場合にのみ、予定セルへ接続要求を送信することを中止（省略）してもよい。ＵＥ１００は、セル情報が無効である場合、予定セルへ接続要求を送信してもよい。
【０１００】
ＵＥ１００は、セル情報に含まれる上述の有効な期間の情報に基づいて、セル情報（又は接続禁止メッセージ）が有効であるか否かを判定してもよい。ＵＥ１００は、セル情報が無効である場合（セル情報の有効な期間が満了している場合）、予定セルへ接続要求を送信してもよい。ＵＥ１００は、セル識別子とＲＮ５００が当該予定セルへ接続する予定時間とが関連付けられている場合、セル識別子毎に接続要求を送信するか否かを判定してもよい。例えば、ＵＥ１００は、移動体１から出た場合（例えば、ユーザが途中下車した場合）に、予定時間の経過後に、経過した予定時間に関連付けられたセル識別子が示すセルへ接続要求を送信してもよい。
【０１０１】
ＵＥ１００は、ＵＥ１００（移動体１）の移動速度に応じて、予定セルへ接続要求を送信するか否かを判定してもよい。ＵＥ１００は、ＵＥ１００の移動速度が第２閾値未満である場合、予定セルへ接続要求を送信してもよい。ＵＥ１００は、ＵＥ１００の移動速度が第２閾値以上である場合、予定セルへ接続要求を送信しない（接続要求の送信中止）。
【０１０２】
ＵＥ１００は、移動速度をＵＥ１００の位置情報に基づいて算出してもよい。ＵＥ１００は、ＧＮＳＳ受信機により位置情報を取得してもよい。ＵＥ１００は、ＵＥ１００に加速度センサが設けられている場合、加速度センサにより移動速度を算出してもよい。
【０１０３】
ＵＥ１００は、セル情報に基づいて、セル（再）選択を実行してもよい。ＵＥ１００は、予定セルを選択する優先度を低くしてもよい。
【０１０４】
予定セルへの接続が禁止されるＵＥ１００（禁止ＵＥ１００）は、移動体１に収容されているＵＥ１００の全てであってもよい。禁止ＵＥ１００は、ＲＮ５００へ接続しているか否かにかかわらず、予定セルへの接続が禁止されていてもよい。一方、移動体１に収容されていないＵＥ１００は、予定セルへの接続が禁止されてなくてもよい。従って、当該ＵＥ１００は、予定セルへ接続要求を送信してもよい。
【０１０５】
禁止ＵＥ１００は、ＲＮ５００と接続するＵＥ１００であってもよい。例えば、ＲＮ５００と接続不能であるＵＥ１００は、移動体１に収容されていても、予定セルへの接続が禁止されなくてもよい。従って、当該ＵＥ１００は、予定セルへ接続要求を送信してもよい。
【０１０６】
接続要求は、ランダムアクセス手順においてＵＥ１００からｅＮＢ２００（ＲＮ５００）へ送信されるメッセージであってもよい。例えば、接続要求は、メッセージ１（Ｒａｎｄｏｍ  Ａｃｃｅｓｓ  Ｐｒｅａｍｂｌｅ）であってもよい。接続要求は、メッセージ３（Ｓｃｈｅｄｕｌｅｄ  Ｔｒａｎｓｍｉｓｉｏｎ）であってもよい。
【０１０７】
ＲＮ５００は、移動体１が移動を開始した後、セル情報（第１セル情報）に従って、セル（ｅＮＢ２００）へ接続することができる。
【０１０８】
ＲＮ５００は、移動体１が移動を開始した後、更新されたセル情報をｅＮＢ２００（ネットワーク装置）から受信してもよい。例えば、事故などにより、移動体１に遅延が発生した場合に、ＲＮ５００は、セル情報をｅＮＢ２００（ネットワーク装置）へ要求してもよい。
【０１０９】
ＲＮ５００自身が、セル情報を更新してもよい。例えば、ＲＮ５００が、既に接続しているセルに関する情報（セル識別子、周波数の情報など）を含めることによってセル情報を更新してもよい。
【０１１０】
ＲＮ５００は、更新されたセル情報を含む接続禁止メッセージをＵＥ１００へ送信してもよい。ＵＥ１００は、更新されたセル情報に基づいて、接続要求を送信するセルを決定してもよい。ＵＥ１００は、前のセル情報を破棄してもよい。
【０１１１】
ＲＮ５００は、ｅＮＢ２００と接続を確立した後、ＵＥ１００のデータを中継する。ＲＮ５００は、ｅＮＢ２００から受信したＵＥ１００のデータを当該ＵＥ１００へ送信（中継）できる。ＲＮ５００は、ＵＥ１００から受信したＵＥ１００のデータをｅＮＢ２００へ送信（中継）できる。
【０１１２】
以上により、ＵＥ１００は、ＲＮ５００の接続が予定されるセル（又はＲＮ５００が接続中のセル）へ接続要求を送信することを中止する。従って、ＲＮ５００が接続するセル（ｅＮＢ２００）から移動体１に収容されるＵＥ１００へ無線リソースが割り当てられることを抑制できるため、ＲＮ５００は、十分な無線リソースを用いて、中継することができる。
【０１１３】
（変更例１）
次に、第１実施形態の変更例１について、図１０を用いて説明する。図１０は、第１実施形態の変更例１を説明するための図である。上述した内容と同様の部分は、説明を適宜省略する。
【０１１４】
本変更例では、ＲＮ５００は、ＲＮ５００へ接続要求を送信したＵＥ１００に対して、接続禁止メッセージを送信する。
【０１１５】
図１０に示すように、ステップＳ２０１及びＳ２０２は、ステップＳ１０１及びＳ１０２に対応する。
【０１１６】
ステップＳ２０３において、ＲＮ５００は、制御情報を送信する。ＵＥ１００は、制御情報を受信する。
【０１１７】
ＲＮ５００は、予定セル又はＲＮ５００が既に接続しているセルが運用される周波数において、制御情報を送信してもよい。ＲＮ５００は、ブロードキャストにより制御情報を送信してもよい。
【０１１８】
制御情報は、ＵＥ１００がＲＮ５００へ接続するための情報を含む。制御情報は、ＭＩＢ（Ｍａｓｔｅｒ  Ｉｎｆｏｒｍａｔｉｏｎ  Ｂｌｏｃｋ）を含んでいてもよい。制御情報は、ＳＩＢを含んでいてもよい。
【０１１９】
ステップＳ２０４において、ＵＥ１００は、制御情報に基づいて、ＲＮ５００へ接続要求を送信する。ＵＥ１００は、制御情報を受信した周波数においてＲＮ５００へ接続要求を送信してもよい。
【０１２０】
ステップＳ２０５は、ステップＳ１０３に対応する。ＲＮ５００は接続禁止メッセージをＵＥ１００へ送信する。ＲＮ５００は、接続要求を受信した後に、接続要求の送信元であるＵＥ１００へ接続禁止メッセージをユニキャストで送信してもよい。ＲＮ５００は、例えば、ＲＲＣ再設定メッセージにより接続禁止メッセージをＵＥ１００へ送信してもよい。ＲＮ５００は、ＵＥ１００と接続（ＲＲＣ接続）を確立した後に、接続禁止メッセージをＵＥ１００へ送信してもよい。
【０１２１】
ＵＥ１００は、接続要求を送信した後に、ＲＮ５００からユニキャストで送信された接続禁止メッセージを受信してもよい。
【０１２２】
ＲＮ５００は、ＵＥ１００がＲＮ５００と接続した後に、移動体１内の他のノード（ＵＥ１００と同一車両内の他のＲＮ５００）へＵＥ１００をハンドオーバさせるための手順を実行してもよい。これにより、ＵＥ１００が移動体１内のＲＮ５００へ接続せずに、ｅＮＢ２００との接続を開始することを避けることができる。
【０１２３】
以上により、ＲＮ５００は、ＲＮ５００へ接続要求を送信したＵＥ１００に対して、接続禁止メッセージを送信できる。これにより、接続を希望するＵＥ１００がｅＮＢ２００へ接続することを抑制できる。ＲＮ５００は、予定セル又はＲＮ５００が既に接続しているセルが運用される周波数において制御情報を送信することにより、当該周波数において接続を希望するＵＥ１００が当該周波数を運用するｅＮＢ２００へ接続することを抑制できる。これにより、ＲＮ５００は、十分な無線リソースを用いて、中継することができる。
【０１２４】
（変更例２）
次に、第１実施形態の変更例２について、図１１を用いて説明する。図１１は、第１実施形態の変更例２を説明するための図である。上述した内容と同様の部分は、説明を適宜省略する。
【０１２５】
本変更例では、ＲＮ５００は、セル情報を含まない接続禁止メッセージを送信できる。
【０１２６】
図１１に示すように、ステップＳ３０１及びＳ３０２は、ステップＳ１０１及びＳ１０２に対応する。
【０１２７】
ステップＳ３０３において、ＲＮ５００は、所定の周波数において接続禁止メッセージを送信する。ＲＮ５００は、ブロードキャスト（例えば、ＳＩＢ）により接続禁止メッセージを送信してもよい。ＲＮ５００は、ユニキャスト（例えば、ＲＲＣ再設定メッセージ）により接続禁止メッセージを送信してもよい。
【０１２８】
所定の周波数は、予定セルが運用される周波数である。従って、本変更例では、接続禁止メッセージは、所定のセル（すなわち、予定セルが運用される周波数）において接続要求を送信することを禁止するためのメッセージである。
【０１２９】
ＲＮ５００は、ｅＮＢ２００から受信したセル情報に基づいて、接続禁止メッセージを送信できる。ＲＮ５００は、複数の周波数において、接続禁止メッセージを送信してもよい。
【０１３０】
接続禁止メッセージは、セル情報を含まなくてもよい。接続禁止メッセージは、セル情報を含んでいてもよい。
【０１３１】
ＵＥ１００は、所定の周波数において接続禁止メッセージを受信する。ＵＥ１００は、接続禁止メッセージを受信（モニタ）した周波数において接続要求を送信することを中止（省略）する。一方、ＵＥ１００は、接続禁止メッセージを受信（モニタ）した周波数と異なる周波数において接続要求を送信してもよい。
【０１３２】
以上により、ＲＮ５００は、セル情報を接続禁止メッセージに含めない場合であっても、ＵＥ１００が予定セルへ接続することを抑制できる。
【０１３３】
（変更例３）
次に、第１実施形態の変更例３について、図１２を用いて説明する。図１２は、第１実施形態の変更例３を説明するための図である。上述した内容と同様の部分は、説明を適宜省略する。
【０１３４】
本変更例では、ＲＮ５００は、接続しているセルが運用される周波数において接続禁止メッセージを送信できる。
【０１３５】
図１２の初期状態において、ＲＮ５００は、ｅＮＢ２００と接続（ＲＲＣ接続）を確立している。
【０１３６】
ステップＳ４０１において、ＲＮ５００は、所定の周波数において接続禁止メッセージを送信する。
【０１３７】
本変更例では、所定の周波数は、ＲＮ５００が接続しているセル（接続セル）が運用される周波数である。
【０１３８】
ＲＮ５００は、接続しているセルが運用される周波数において接続禁止メッセージを送信するため、セル情報をｅＮＢ２００から受信しなくてもよい。ＲＮ５００は、セル情報をｅＮＢ２００から受信してもよい。
【０１３９】
接続禁止メッセージは、セル情報を含んでいてもよい。
【０１４０】
以上により、ＲＮ５００は、ＲＮ５００が実際に接続しているセルへＵＥ１００が接続することを抑制できる。
【０１４１】
［第２実施形態］
次に、第２実施形態について、図１３を用いて説明する。図１３は、第２実施形態を説明するための図である。上述した内容と同様の部分は、説明を適宜省略する。
【０１４２】
第２実施形態では、ＲＮ５００は、ＲＮ５００の接続が予定される予定セル（又はＲＮ５００が接続している接続セル）へＵＥ１００が接続することを禁止するためにＵＥ１００の情報をｅＮＢ２００へ送信する。
【０１４３】
図１３に示すように、ステップＳ５０１及びＳ５０２は、ステップＳ１０１及びＳ１０２に対応する。
【０１４４】
ステップＳ５０３において、ＵＥ１００は、接続要求をＲＮ５００へ送信する。ＲＮ５００は、接続要求を受信する。接続要求は、後述のＵＥ１００の情報が含まれていてもよい。
【０１４５】
ステップＳ５０４において、ＲＮ５００は、ＵＥ１００が予定セル（又は接続セル）へ接続することを禁止するためにｅＮＢ２００へＵＥ１００の情報を送信する。
【０１４６】
ＲＮ５００は、接続要求の受信に応じて、ＵＥ１００の情報を送信してもよい。ＲＮ５００は、ＵＥ１００との接続を確立した後に、ＵＥ１００の情報を送信してもよい。
【０１４７】
ＵＥ１００の情報は、例えば、ＵＥ１００の識別子を含む。ＵＥ１００の識別子は、ＲＮ５００が割り当てた識別子（ＲＮＴＩ：Ｒａｄｉｏ  Ｎｅｔｗｏｒｋ  Ｔｅｍｐｏｒａｒｙ  Ｉｄｅｎｔｉｆｉｅｒ）であってもよい。ＵＥ１００の識別子は、ＥＭＳＩ（Ｅｎｃｒｙｐｔｅｄ  Ｍｏｂｉｌｅ  Ｓｕｂｓｃｒｉｂｅｒ  Ｉｄｅｎｔｉｔｙ）であってもよい。
【０１４８】
ＲＮ５００は、セル情報要求に含まれている情報（例えば、ＲＮ５００の識別子など）を含むメッセージと一緒にＵＥ１００の情報をｅＮＢ２００へ送信してもよい。ＲＮ５００は、セル情報に含まれている情報（例えば、予定セルに関する情報、予定セルを管理するｅＮＢ２００の識別子など）を含むメッセージと一緒にＵＥ１００の情報をｅＮＢ２００へ送信してもよい。
【０１４９】
ｅＮＢ２００は、予定セル（又は接続セル）を管理する場合、予定セルへのＵＥ１００の接続を行わない。ｅＮＢ２００は、ＵＥ１００から接続要求を受信した場合、ＵＥ１００の接続要求を無視することができる。ｅＮＢ２００は、接続要求に対する応答（拒否応答）をＵＥ１００へ送ってもよい。
【０１５０】
ｅＮＢ２００は、予定セルを管理する他のｅＮＢ２００へＵＥ１００の情報を転送してもよい。ｅＮＢ２００は、ネットワーク装置へＵＥ１００の情報を転送してもよい。ネットワーク装置は、予定セルを管理する他のｅＮＢ２００へＵＥ１００の情報を転送できる。ネットワーク装置は、セル情報を問い合わせるネットワーク装置と同じであってもよいし、異なってもよい。ネットワーク装置は、ＥＰＣ２０内に設けられていてもよい。ネットワーク装置は、外部ネットワークに設けられていてもよい。
【０１５１】
以上により、ＵＥ１００が、ＲＮ５００の接続が予定されるセル（又はＲＮ５００が接続中のセル）へ接続要求を送信しても、当該セルへ接続することができない。このため、ＲＮ５００は、十分な無線リソースを用いて、中継することができる。
【０１５２】
［その他の実施形態］
上述した各実施形態によって、本出願の内容を説明したが、この開示の一部をなす論述及び図面は、本出願の内容を限定するものであると理解すべきではない。この開示から当業者には様々な代替実施形態、実施例及び運用技術が明らかとなろう。
【０１５３】
上述した各実施形態において、接続禁止メッセージは、測定報告を接続先（例えば、ＲＮ５００）へ送らないことをＵＥ１００へ要求するためのメッセージであってもよい。例えば、ＵＥ１００は、ＲＮ５００と接続中に、測定報告のトリガ条件が満たされても、測定報告をＲＮ５００へ送信しなくてもよい。ＵＥ１００は、予定セルからの無線信号（例えば、参照信号）の受信レベルに関する測定結果を含む測定報告の送信を中止してもよい。従って、ＵＥ１００は、予定セル以外のセルからの無線信号の受信レベルに関する測定結果を含む測定報告をＲＮ５００へ送信してもよい。
【０１５４】
受信レベルは、例えば、受信強度（ＲＳＲＰ：Ｒｅｆｅｒｅｎｃｅ  Ｓｉｇｎａｌ  Ｒｅｃｅｉｖｅｄ  Ｐｏｗｅｒ）、受信品質（ＲＳＲＱ：Ｒｅｆｅｒｅｎｃｅ  Ｓｉｇｎａｌ  Ｒｅｃｅｉｖｅｄ  Ｑｕａｌｉｔｙ）などにより示されてもよい。
【０１５５】
上述では、ＲＮ５００は、ＵＥ１００の接続を禁止するための制御情報（接続禁止メッセージ／ＵＥ１００の情報）をＵＥ１００又はｅＮＢ２００へ送っていたが、これに限られない。図１４に示すように、ＲＮ５００は、ＵＥ１００から測定報告を受信する（ステップＳ６０１）。測定報告が予定セルに関する測定結果を含む場合、ＲＮ５００は、ＵＥ１００から測定報告を受信した場合、ＵＥ１００が予定セルへのハンドオーバを実行しないように制御してもよい。例えば、ＲＮ５００は、予定セル以外のセルへＵＥ１００がハンドオーバするためのハンドオーバ手順を実行してもよい。ＲＮ５００は、予定セルがターゲットセルとなる条件を満たす場合であっても、予定セルを管理するｅＮＢ２００へハンドオーバ要求を送信しなくてもよい。すなわち、ＲＮ５００は、予定セルへのハンドオーバ要求の送信を中止してもよい（ステップＳ６０２）。これにより、ＵＥ１００が予定セルへ接続することを抑制できる。例えば、ＲＮ５００は、ＵＥ１００が接続禁止メッセージを理解できないレガシーＵＥである場合に、この動作を実行してもよい。
【０１５６】
上述した各実施形態では、移動体１に設置された１つのＲＮ５００とＵＥ１００とが通信を行うケースについて説明した。移動体１には、複数のＲＮ５００が設置されていてもよい移動体１を構成する複数の車両（ｃａｒｇｏｓ）のそれぞれに、ＲＮ５００が設置されていてもよい。例えば、図８に示すように、各車両の上部には、ＲＮ５００のアンテナが位置していてもよい。同じ車両に位置するＵＥ１００とＲＮ５００とが通信（送信及び／又は受信）を実行してもよい。各ＲＮ５００は、ｅＮＢ２００と通信（送信及び／又は受信）を実行してもよい。或いは、１つのＲＮ５００（代表ＲＮ５００）が代表して、ｅＮＢ２００と通信を実行してもよい。代表ＲＮ５００は、（例えば、ネットワークインターフェイス５４０を介して）各他のＲＮ５００と通信を実行してもよい。
【０１５７】
ＲＮ５００は、ＵＥ１００との接続を確立した後に、ＵＥ１００を他の周波数（セル）へハンドオーバを実行してもよい。例えば、ＲＮ５００は、停止しているＵＥ１００に対して、所定の周波数（高周波数）で運用されるセル（第１セル）と接続するための制御を実行してもよい。ＲＮ５００は、移動しているＵＥ１００に対して、所定の周波数よりも低い周波数（低周波数）で運用されるセル（第２セル）と接続するための制御を実行してもよい。
【０１５８】
ＲＮ５００は、例えば、移動体１（例えば、電車）内の座席に位置するＵＥ１００を、停止しているＵＥ１００とみなしてもよい。ＲＮ５００は、例えば、移動体１（例えば、電車）内の通路に位置するＵＥ１００を、停止しているＵＥ１００とみなしてもよい。ＲＮ５００は、座席のエリアでは、高周波数で運用される第１セルを形成してもよい。ＲＮ５００は、通路のエリアでは、低周波数で運用される第２セルを形成してもよい。これにより、移動に応じたＵＥ１００の通信品質を確保することができる。
【０１５９】
上述した各実施形態において、リレーノードは、近傍サービス（ＰｒｏＳｅ：ＰｒｏＳｅ：Ｐｒｏｘｉｍｉｔｙ−ｂａｓｅｄ  Ｓｅｒｖｉｃｅｓ）を利用した中継を実行するリレーＵＥ（ＰｒｏＳｅ  ＵＥ−ｔｏ  Ｎｅｔｗｏｒｋ  Ｒｅｌａｙ）であってもよい。
【０１６０】
上述した各実施形態において、予定セルは、ＵＥ１００の接続が禁止されるセルであったが、これに限られない。予定セルは、ＵＥ１００の接続が制限されるセルであってもよい。このため、上述において「禁止」を「制限」に置き換えてもよい。
【０１６１】
上述において、ＲＮ５００は、ＵＥ１００の接続の禁止（制限）を解除（解放）する場合、接続の禁止を解除（解放）するためのメッセージを接続禁止メッセージと同様に送信してもよい。従って、上述において、「禁止」を「解除（又は解放）」に置き換えてもよい。ＵＥ１００は、当該メッセージの受信に応じて、ｅＮＢ２００（セル）へ接続するための動作を実行してもよい。
【０１６２】
ＲＮ５００が、ＵＥ１００の接続禁止を解除（解放）するために、ｅＮＢ２００へＵＥ１００の情報を送信した場合、ｅＮＢ２００は、当該情報に基づいて、接続要求の送信元のＵＥ１００と接続するための動作を実行してもよい。
【０１６３】
ＲＮ５００は、ＵＥ１００の情報ではなく、ＵＥ１００の接続の解除（又は解放）を示すメッセージをｅＮＢ２００へ送ってもよい。当該メッセージを受信したｅＮＢ２００は、ＲＮ５００からのＵＥ１００の情報に基づく接続を禁止するための制御を中止することができる。
【０１６４】
上述した各実施形態に係る動作は、適宜組み合わせて実行されてもよい。上述した各シーケンスにおいて、必ずしも全ての動作が必須の構成ではない。例えば、各シーケンスにおいて、一部の動作のみが実行されてもよい。
【０１６５】
上述した各実施形態では特に触れていないが、上述した各ノード（ＵＥ１００、ｅＮＢ２００、ＲＮ５００、ネットワーク装置など）のいずれかが行う各処理をコンピュータに実行させるプログラムが提供されてもよい。プログラムは、コンピュータ読取り可能媒体に記録されていてもよい。コンピュータ読取り可能媒体を用いれば、コンピュータにプログラムをインストールすることが可能である。ここで、プログラムが記録されたコンピュータ読取り可能媒体は、非一過性の記録媒体であってもよい。非一過性の記録媒体は、特に限定されるものではないが、例えば、ＣＤ−ＲＯＭやＤＶＤ−ＲＯＭ等の記録媒体であってもよい。
【０１６６】
或いは、ＵＥ１００、ｅＮＢ２００、ＲＮ５００、ネットワーク装置のいずれかが行う各処理を実行するためのプログラムを記憶するメモリ及びメモリに記憶されたプログラムを実行するプロセッサ）によって構成されるチップが提供されてもよい。
【０１６７】
上述した実施形態では、移動通信システムの一例としてＬＴＥシステムを説明したが、ＬＴＥシステムに限定されるものではなく、ＬＴＥシステム以外のシステムに本出願に係る内容を適用してもよい。
【０１６８】
日本国特許出願第２０１６−０８８６３３号（２０１６年４月２６日出願）の全内容が、参照により、本願明細書に組み込まれている。
【図１】
0006586516.tif 000002
【図２】
0006586516.tif 000003
【図３】
0006586516.tif 000004
【図４】
0006586516.tif 000005
【図５】
0006586516.tif 000006
【図６】
0006586516.tif 000007
【図７】
0006586516.tif 000008
【図８】
0006586516.tif 000009
【図９】
0006586516.tif 000010
【図１０】
0006586516.tif 000011
【図１１】
0006586516.tif 000012
【図１２】
0006586516.tif 000013
【図１３】
0006586516.tif 000014
【図１４】
0006586516.tif 000015